【手続補正書】
【提出日】平成18年1月20日(2006.1.20)
【手続補正１】
【補正対象書類名】特許請求の範囲
【補正対象項目名】全文
【補正方法】変更
【補正の内容】
【特許請求の範囲】
【請求項１】
単一のユーザについてのデータパケットを送受信するため、複数のチャンネルを通じてトンネリングを使用するゲートウェイとルータとを備えたことを特徴とする通信システム。
【請求項２】
前記トンネリングはＩＰ−ｉｎ−ＩＰトンネリングであることを特徴とする請求項１に記載の通信システム。
【請求項３】
前記トンネリングは、ＰＤＵカプセル化を使用して、コネクションレス型ネットワークレイヤプロトコルを通じることを特徴とする請求項１に記載の通信システム。
【請求項４】
前記トンネリングは、前記ルータと前記ゲートウェイとの間で、スイッチ型仮想回線を使用して、コネクション型ネットワークレイヤプロトコルを通じることを特徴とする請求項１に記載の通信システム。
【請求項５】
ルータはモバイルであることを特徴とする請求項１に記載の通信システム。
【請求項６】
前記複数のチャンネルは、無線インターフェースと単一の無線ネットワークのコンポーネントとを含むことを特徴とする請求項１に記載の通信システム。
【請求項７】
前記複数のチャンネルは、無線インターフェースと複数の無線ネットワークのコンポーネントとを含むことを特徴とする請求項１に記載の通信システム。
【請求項８】
前記チャンネルは、ＷＣＤＭＡ無線ネットワークの専用トラフィックチャンネルのアップリンクおよびダウンリンクであることを特徴とする請求項１に記載の通信システム。
【請求項９】
前記チャンネルは、ＣＤＭＡ−２０００無線ネットワークの専用トラフィックチャンネルのフォワードリンクおよびリバースリンクであることを特徴とする請求項１に記載の通信システム。
【請求項１０】
前記ゲートウェイは、無線ネットワークとパケットスイッチ型広域ネットワークとの間でインターフェースすることを特徴とする請求項１に記載の通信システム。
【請求項１１】
前記ルータと前記ゲートウェイとの間を送信される前記パケットは、パケットスイッチ型広域ネットワークを通じてトンネルされることを特徴とする請求項１に記載の通信システム。
【請求項１２】
前記ゲートウェイは無線ネットワークのなかに位置することを特徴とする請求項１に記載の通信システム。
【請求項１３】
前記ゲートウェイおよび前記ルータの少なくとも一方が中間ネットワークのリソース配置を監視することを特徴とする請求項１に記載の通信システム。
【請求項１４】
前記ゲートウェイおよび前記ルータの少なくとも一方が、中間ネットワークの１つまたは複数のチャンネルのスループットレベルを監視することを特徴とする請求項１に記載の通信システム。
【請求項１５】
前記ゲートウェイおよび前記ルータの少なくとも一方が、中間ネットワークの１つまたは複数のチャンネルのフレームエラーレートを測定することを特徴とする請求項１に記載の通信システム。
【請求項１６】
前記中間ネットワークのチャンネル配置、チャンネルスループット、チャンネルエラーレートのステータスをレポートするために、前記ルータと前記ゲートウェイとの間でフィードバックのメカニズムが使用されることを特徴とする請求項１に記載の通信システム。
【請求項１７】
エンドユーザディバイスは、ローカルエリアネットワークを通じて前記ルータと通信することを特徴とする請求項１に記載の通信システム。
【請求項１８】
前記ゲートウェイおよび前記ルータは、中間ネットワークの複数チャンネルの使用を、前記中間ネットワークの他の数の複数チャンネル、あるいは単一のチャンネルの使用に変更することを特徴とする請求項１に記載の通信システム。
【請求項１９】
前記ゲートウェイおよび前記ルータは、中間ネットワークの単一のチャンネルの使用を、前記中間ネットワークチャンネルの複数チャンネルの使用に変更することを特徴とする請求項１に記載の通信システム。
【請求項２０】
単一ユーザについてのデータパケットを送受信するルータと
リモートサーバへの、またはからの前記データパケットを送受信するゲートウェイとを備えた通信システムであって、
前記ルータおよび前記ゲートウェイは、無線ネットワークの複数のチャンネルでＩＰ−ｉｎ−ＩＰトンネリングを使用して、相互間で前記データパケットを送受信することを特徴とする通信システム。
【請求項２１】
前記複数のチャンネルは、複数の無線ネットワークのインターフェースとコンポーネントとを含むことを特徴とする請求項２０に記載の通信システム。
【請求項２２】
前記ルータはモバイルであることを特徴とする請求項２０に記載の通信システム。
【請求項２３】
前記チャンネルは、ＷＣＤＭＡ無線ネットワークの専用トラフィックチャンネルのアップリンクおよびダウンリンクであることを特徴とする請求項２０に記載の通信システム。
【請求項２４】
前記チャンネルは、ＣＤＭＡ−２０００無線ネットワークの専用トラフィックチャンネルのフォワードリンクおよびリバースリンクであることを特徴とする請求項２０に記載の通信システム。
【請求項２５】
前記ゲートウェイは、パケットスイッチ型広域ネットワークを通じて前記リモートサーバと通信することを特徴とする請求項２０に記載の通信システム。
【請求項２６】
前記ルータと前記ゲートウェイとの間を送信されるパケットは、パケットスイッチ型広域ネットワークを通じてトンネル化されることを特徴とする請求項２０に記載の通信システム。
【請求項２７】
前記ゲートイェイは無線のネットワークのなかに位置していることを特徴とする請求項２０に記載の通信システム。
【請求項２８】
前記ゲートウェイおよび前記ルータの少なくとも一方が無線ネットワークによるリソース配置を監視することを特徴とする請求項２０に記載の通信システム。
【請求項２９】
前記ゲートウェイおよび前記ルータの少なくとも一方が、前記無線ネットワークの１つまたは複数のチャンネルのスループットレベルを監視することを特徴とする請求項２０に記載の通信システム。
【請求項３０】
前記ゲートウェイおよび前記ルータの少なくとも一方が、無線ネットワークの１つまたは複数のチャンネルのフレームエラーレートを測定することを特徴とする請求項２０に記載の通信システム。
【請求項３１】
前記無線ネットワークのチャンネル配置、チャンネルスループット、チャンネルエラーレートのステータスをレポートするために、前記ルータと前記ゲートウェイとの間でフィードバックのメカニズムが使用されることを特徴とする請求項２０に記載の通信システム。
【請求項３２】
エンドユーザディバイスは、ローカルエリアネットワークを通じて前記ルータと通信することを特徴とする請求項２０に記載の通信システム。
【請求項３３】
前記ゲートウェイおよび前記ルータは、使用している無線ネットワークの複数チャンネルの使用を、前記無線ネットワークの他の数の複数チャンネル、あるいは単一のチャンネルの使用に変更することを特徴とする請求項２０に記載の通信システム。
【請求項３４】
前記ゲートウェイおよび前記ルータは、単一のチャンネルの使用を、前記無線ネットワークの複数のチャンネルに変更することを特徴とする請求項２０に記載の通信システム。
【請求項３５】
エンドユーザディバイスとリモートサーバとの間の通信に使用されるルータであって、
単一のエンドユーザディバイスからの第１のデータパケットのセットを受信する手段であって、前記第１のデータパケットのセットは、単一のリモートサーバに向けられていて、前記単一のエンドユーザディバイスおよび前記リモートサーバは、第１のネットワークに含まれていて、第１のプロトコルに準拠するデータパケットを使用して互いに通信する、手段と、
前記ゲートウェイに向けられた複数のチャンネル上に、前記第１のデータパケットのセットを配送する手段であって、前記ルータおよび前記ゲートウェイは、第二のネットワークに含まれ、第２のプロトコルに準拠するデータパケットを使用して互いに通信し、当該配送する手段は、前記第１プロトコルに準拠する前記第１のデータパケットを前記第２のプロトコルに準拠する第２のパケットのセットにカプセル化するように構成されていて、前記第２のパケットのセットの各々は、カプセル化された当該パケットが伝送される前記チャンネルに関連づけられたヘッダ情報を有する、手段と、
前記複数のチャンネルを通じて、前記第１のプロトコルに準拠する、前記リモートサーバから前記エンドユーザディバイスに向けられた第３のデータパケットのセットを受信する手段であって、前記第３のデータパケットのセットは、前記ゲートウェイによって、前記第２のプロトコルに準拠する第４のデータパケットのセットにカプセル化されていて、前記第４のデータパケットのセットの各々は、カプセル化された当該パケットが伝送される前記チャンネルを通じて各パケットを経路指定するためのヘッダ情報を有する、手段と、
前記第４のパケットのセットから前記第３のデータパケットのセットを取り出し、前記エンドユーザディバイスへ前記第３のデータパケットのセットを転送する手段と
を備えたことを特徴とするルータ。
【請求項３６】
ローカルエリアネットワークを通じて１つまたは複数のエンドユーザディバイスからデータパケットを受信する手段と、
前記ローカルエリアネットワークを通じて、前記１つまたは複数のエンドユーザディバイスへデータパケットを転送する手段と
をさらに備えることを特徴とする請求項３５に記載のルータ。
【請求項３７】
前記ルータは、ＷＣＤＭＡ無線ネットワークの１つ以上の専用トラフィックチャンネルを通じて、前記ゲートウェイと通信するように構成されていることを特徴とする請求項３５に記載のルータ。
【請求項３８】
前記ルータは、ＣＤＭＡ−２０００無線ネットワークの１つ以上の専用トラフィックチャンネルを通じて、前記ゲートウェイと通信するように構成されていることを特徴とする請求項３５に記載のルータ。
【請求項３９】
前記第２のプロトコルはインターネットプロトコル（ＩＰ）であることを特徴とする請求項３５に記載のルータ。
【請求項４０】
前記第２のプロトコルはコネクションレス型ネットワークレイヤプロトコルであることを特徴とする請求項３５に記載のルータ。
【請求項４１】
前記第２のプロトコルはコネクション型ネットワークレイヤプロトコルであることを特徴とする請求項３５に記載のルータ。
【請求項４２】
前記第２のネットワークによるチャンネルリソースの割り当てを監視し、前記ゲートウェイへ当該チャンネルリソースの割り当てを示す情報を転送する手段をさらに備えることを特徴とする請求項３５に記載のルータ。
【請求項４３】
エンドユーザディバイスとリモートサーバとの間の通信に使用されるゲートウェイであって、
単一のリモートサーバから第１のデータパケットのセットを受信する手段であって、前記第１のデータパケットのセットは、単一のエンドユーザディバイスに向けられていて、前記リモートサーバおよび前記エンドユーザディバイスは、第１のネットワークに含まれていて、第１のプロトコルに準拠するデータデータパケットを使用して互いに通信する、手段と、
ルータに向けられた複数のチャンネル上に、前記第１のデータパケットのセットを配送する手段であって、前記ゲートウェイおよび前記ルータは、第２のネットワークに含まれ、第２のプロトコルに準拠するデータパケットを使用して互いに通信し、当該配送する手段は、前記第１のプロトコルに準拠する前記第１のデータパケットを前記第２のプロトコルに準拠する第２のパケットのセットにカプセル化するように構成されていて、前記第２のパケットのセットの各々は、カプセル化された当該パケットが伝送される前記チャンネルを通じて各パケットを経路指定するためのヘッダ情報を有する、手段と、
前記複数のチャンネルを通じて、前記第１のプロトコルに準拠する、前記エンドユーザディバイスから前記リモートサーバに向けられた第３のデータパケットのセットを受信する手段であって、前記第３のデータパケットのセットは、前記ルータによって、前記第２のプロトコルに準拠する第４のデータパケットのセットにカプセル化されていて、前記第４のデータパケットのセットの各々は、カプセル化された当該パケットが伝送される前記チャンネルに関連づけられたヘッダ情報を有する、手段と、
前記第４のパケットのセットから前記第３のデータパケットのセットを取り出し、前記リモートサーバへ前記第３のデータパケットのセットを転送する手段と
を備えたことを特徴とするゲートウェイ。
【請求項４４】
前記ゲートウェイは、パケットスイッチ型広域ネットワークへのインターフェースとして、前記第２のネットワークのなかにおかれるように構成されることを特徴とする請求項４３に記載のゲートウェイ。
【請求項４５】
前記ゲートウェイは、無線ネットワークとパケットスイッチ型広域ネットワークとの間でインターフェースするように構成ることを特徴とする請求項４３に記載のゲートウェイ。
【請求項４６】
前記ゲートウェイは、パケットスイッチ型広域ネットを通じて、無線ネットワークとインターフェースするように構成されることを特徴とする請求項４３に記載のゲートウェイ。
【請求項４７】
前記ゲートウェイは、複数のルータと同時に通信するように構成されることを特徴とする請求項４３に記載のゲートウェイ。
【請求項４８】
チャンネルのリソース割り当ておよびチャンネルのパーフォーマンスを表わす情報を前記ルータから受信する手段をさらに備えることを特徴とする請求項４３に記載のゲートウェイ。
【請求項４９】
前記第２のプロトコルはインターネットプロトコル（ＩＰ）であることを特徴とする請求項４３に記載のゲートウェイ。
【請求項５０】
前記第２のプロトコルはコネクションレス型ネットワークレイヤプロトコルであることを特徴とする請求項４３に記載のゲートウェイ。
【請求項５１】
前記第２のプロトコルはコネクション型ネットワークレイヤプロトコルであることを特徴とする請求項４３に記載のゲートウェイ。
【請求項５２】
エンドユーザとリモートサーバとの間で、データパケットを送る方法であって、
エンドユーザがルータ経由でデータパケットを送信すること、
前記ルータが通信ネットワークの複数チャンネルを通じて、ゲートウェイにデータパケットをトンネリングすること、
前記ゲートウェイが、前記データパケットを非トンネリング化し、前記リモートサーバへ送信することと
を含むことを特徴とする方法。
【請求項５３】
ゲートウェイおよびルータの少なくとも一方によって前記複数のチャンネルへのリソース割り当てを監視することをさらに含むことを特徴とする請求項５２に記載の方法。
【請求項５４】
ゲートウェイおよびルータの少なくとも一方によって、前記複数のチャンネルでのスループットレベルを監視することをさらに含むことを特徴とする請求項５２に記載の方法。
【請求項５５】
ゲートウェイおよびルータの少なくとも一方によって、前記複数のチャンネルでのフレームエラーレートを監視することをさらに含むことを特徴とする請求項５２に記載の方法。
【請求項５６】
通信ネットワークにおけるチャンネルの割り当て、チャンネルのスループット、およびチャンネルエラーレートのステータスをレポートするために、前記ルータと前記ゲートウェイとの間でフィードバックのメカニズムが使用されることを特徴とする請求項５２に記載の方法。
【請求項５７】
前記ルータは、複数チャンネルの使用から単一のチャンネルの使用へ変更することを含むことを特徴とする請求項５２に記載の方法。
【請求項５８】
エンドユーザとリモートサーバとの間で、データパケットを送る方法であって、
前記リモートサーバが、ゲートウェイ経由で、単一のエンドユーザディバイスに向けられたデータパケットを送ることと、
前記ゲートウェイが通信ネットワークの複数のチャンネルを通じて、ルータにデータパケットトンネリングすることと、
前記ルータが、前記データパケットを非トンネリング化し、前記単一のユーザへ送信することと
を含むことを特徴とする方法。
【請求項５９】
前記ゲートウェイおよび前記ルータの少なくとも一方によって、前記複数チャンネルのリソース割り当てを監視することをさらに含むことを特徴とする請求項５８に記載の方法。
【請求項６０】
前記ゲートウェイおよび前記ルータの少なくとも一方によって、前記複数チャンネルでのスループットレベルを監視することを特徴とする請求項５８に記載の方法。
【請求項６１】
前記ゲートウェイおよび前記ルータの少なくとも一方によって、前記複数チャンネルでのフレームエラーレートを監視することをさらに含むことを特徴とする請求項５８に記載の方法。
【請求項６２】
通信ネットワークにおけるチャンネル割り当て、チャンネルのスループット、およびチャンネルエラーレートのステータスをレポートするために、前記ルータと前記ゲートウェイとの間でフィードバックメカニズムが使用されることを特徴とする請求項５８に記載の方法。
【請求項６３】
前記ゲートウェイによって、前記複数のチャンネルの使用から単一のチャンネルの使用に変更することをさらに含むことを特徴とする請求項５８に記載の方法。
【請求項６４】
前記チャンネルは、ＷＣＤＭＡ無線ネットワークの専用トラフィックチャンネルのアップリンクとダウンリンクであることを特徴とする請求項５８に記載の方法。
【請求項６５】
前記チャンネルは、ＣＤＭＡ−２０００無線ネットワークの専用トラフィックチャンネルのフォワードリンクとリバースリンクであることを特徴とする請求項５８に記載の方法。
【請求項６６】
複数ユーザについてのパケットデータトラフィックを単一のパケットストリームに集約し、ネットワークレイヤのトンネリングを使用して前記パケットストリームを単一のチャンネルで転送する、ゲートウェイとルータとを備えたことを特徴とする通信システム。
【請求項６７】
前記トンネリングはＩＰ−ｉｎ−ＩＰトンネリングであることを特徴とする請求項６６に記載の通信システム。
【請求項６８】
トンネリングは、ＰＤＵカプセル化を使用して、コネクションレス型ネットワークレイヤプロトコルを通じることを特徴とする請求項６６に記載の通信システム。
【請求項６９】
前記トンネリングは、前記ルータと前記ゲートウェイとの間で、スイッチ型仮想回線を使用して、コネクション型ネットワークレイヤプロトコルを通じることを特徴とする請求項６６に記載の通信システム。
【請求項７０】
前記ルータはモバイルであることを特徴とする請求項６６に記載の通信システム。
【請求項７１】
前記チャンネルはＷＣＤＭＡ無線ネットワーク専用トラフィックチャンネルのアップリンクおよびダウンリンクであることを特徴とする請求項６６に記載の通信システム。
【請求項７２】
前記チャンネルはＣＤＭＡ−２０００無線ネットワーク専用トラフィックチャンネルのフォワードリンクおよびリバースリンクであることを特徴とする請求項６６に記載の通信システム。
【請求項７３】
前記ゲートウェイは、無線ネットワークとパケットスイッチ型広域ネットワークとの間でインターフェースすることを特徴とする請求項６６に記載の通信システム。
【請求項７４】
前記ルータと前記ゲートウェイとの間を送信される前記パケットは、パケットスイッチ型広域ネットワークを通じてトンネルされることを特徴とする請求項６６に記載の通信システム。
【請求項７５】
前記ゲートウェイは無線ネットワークのなかに位置することを特徴とする請求項６６に記載の通信システム。
【請求項７６】
ゲートウェイおよびルータの少なくとも一方が、中間ネットワークのリソース割り当てを監視することを特徴とする請求項６６に記載の通信システム。
【請求項７７】
前記ゲートウェイおよび前記ルータの少なくとも一方が、中間ネットワークの単一チャンネルのスループットレベルを監視することを特徴とする請求項６６に記載の通信システム。
【請求項７８】
前記ゲートウェイおよび前記ルータの少なくとも一方が、中間ネットワークの単一チャンネルにおけるフレームエラーレートを監視していることを特徴とする請求項６６に記載の通信システム。
【請求項７９】
中間ネットワークにおけるチャンネル割り当て、チャンネルスループット、チャンネルエラーレートのステータスをレポートするために前記ルータと前記ゲートウェイとの間でフィードバックメカニズムが使用されることを特徴とする請求項６６に記載の通信システム。
【請求項８０】
前記エンドユーザディバイスは、ローカルエリアネットワークを通じて、エンドユーザディバイスと通信することを特徴とする請求項６６に記載の通信システム。
【請求項８１】
複数のエンドユーザディバイスと複数のリモートサーバとの間のパケットデータトラフィックを複数のパケットストリームに集約し、ネットワークレイヤトンネリングを使用して中間ネットワークチャンネルの共有プールに複数のパケットストリームを配送する、ゲートウェイおよびルータを備えたことを特徴とする通信システム。
【請求項８２】
トンネリングはＩＰ−ｉｎ−ＩＰトンネリングであることを特徴とする請求項８１に記載の通信システム。
【請求項８３】
前記トンネリングは、ＰＤＵカプセル化を使用して、コネクションレス型ネットワークレイヤプロトコルを通じることを特徴とする請求項８１に記載の通信システム。
【請求項８４】
前記トンネリングは、前記ルータと前記ゲートウェイとの間のスイッチ型仮想回線を使用して、コネクション型ネットワークレイヤプロトコルを通じることを特徴とする請求項８１に記載の通信システム。
【請求項８５】
前記ルータはモバイルであることを特徴とする請求項８１に記載の通信システム。
【請求項８６】
前記中間ネットワークは無線ネットワークであることを特徴とする請求項８１に記載の通信システム。
【請求項８７】
前記チャンネルはＷＣＤＭＡ無線ネットワークの専用トラフィックチャンネルのアップリンクおよびダウンリンクであることを特徴とする請求項８１に記載の通信システム。
【請求項８８】
前記チャンネルはＣＤＭＡ−２０００無線ネットワークの専用トラフィックチャンネルのフォワードリンクおよびリバースリンクであることを特徴とする請求項８１に記載の通信システム。
【請求項８９】
前記ゲートウェイは前記中間ネットワークとパケットスイッチ型広域ネットワークとの間でインターフェースすることを特徴とする請求項８１に記載の通信システム。
【請求項９０】
前記ルータと前記ゲートウェイとの間を送信されるパケットも、パケットスイッチ型広域ネットワークを通じてトンネル化されることを特徴とする請求項８１に記載の通信システム。
【請求項９１】
前記中間ネットワークは回線交換型ネットワークであることを特徴とする請求項８１に記載の通信システム。
【請求項９２】
前記中間ネットワークはパケット交換型ネットワークであることを特徴とする請求項８１に記載の通信システム。
【請求項９３】
前記ゲートウェイは前記中間ネットワークのなかに位置していることを特徴とする請求項８１に記載の通信システム。
【請求項９４】
前記ゲートウェイおよび前記ルータの少なくとも一方が、前記中間ネットワークのリソース割り当てを監視することを特徴とする請求項８１に記載の通信システム。
【請求項９５】
前記ゲートウェイおよび前記ルータ少なくとも一方が、前記中間ネットワークの１つまたは複数のチャンネルのスループットレベルを監視することを特徴とする請求項８１に記載の通信システム。
【請求項９６】
前記ゲートウェイおよび前記ルータの少なくとも一方が、前記中間ネットワークの１つまたは複数のチャンネルのフレームエラーレートを監視することを特徴とする請求項８１に記載の通信システム。
【請求項９７】
中間ネットワークにおける、チャンネル割り当て、チャンネルスループット、およびチャンネルエラーレートのステータスをレポートするために、前記ルータと前記ゲートウェイとの間でフィードバックメカニズムが使用されることを特徴とする請求項８１に記載の通信システム。
【請求項９８】
前記エンドユーザディバイスは、ローカルエリアネットワークを通じて、前記ルータと通信することを特徴とする請求項８１に記載の通信システム。
【請求項９９】
前記ゲートウェイおよび前記ルータは、前記中間ネットワークの複数チャンネルの使用を、前記中間ネットワークの他の数の複数チャンネル、あるいは単一のチャンネルの使用に変更することを特徴とする請求項８１に記載の通信システム。
【請求項１００】
前記ゲートウェイおよび前記ルータは、中間ネットワークの単一のチャンネルの使用を、前記中間ネットワークの複数チャンネルの使用に変更することを特徴とする請求項８１に記載の通信システム。
【請求項１０１】
通信システムのパケットデータトラフィックを取り扱う方法であって、
輻輳がおこった場合に入パケットを抑制することと、
前記パケットのサービス品質要件およびチャンネルが提供するサービス品質に基づき、伝送チャンネルに前記入パケットを向けることと、
トラフィックの量およびチャンネルのコンディションを監視し、パケットのサービス品質要件を満たすためにチャンネルリソースを割り当てるか、あるいは割り当て解除することと、
同様のサービス品質要件を持つ複数の入パケットを、前記パケットのサービス品質要件を満たす１つまたは複数のチャンネル上でともにトンネリングすることで、ひとつのパケットストリームに集約することと
を含むことを特徴とする方法。